(57)【要約】【課題】  人が選定可能な抵抗レベルで実施できる連続的全範囲運動鍛練ルーチンを実施できる軌道抵抗調整可能な球鍛練装置を創作すること。【解決手段】  軌道抵抗調整可能な球鍛練装置（１０）は幾つかの鍛練ルーチンが選定可能な摩擦レベルで幾つかの平面と範囲運動にわたり実施され得るように設計されている。装置（１０）は四つの主要素：球クレードル（１２）、球（１１６）、一組の三つの球摩擦パッド（４２、５４、９０）と入れ子式棒組立体（１２６）から成る。球クレードル（１２）は、一様に間隔を置いている三つの球支持フレーム（３２、５２、９２）が取付けられ且つ各々が球（１１６）と境界して支持する摩擦パッド（４２、５４、９０）が取付けられるベース（１４）を包含する。また、球クレードル（１２）は、右回りに回転されると、球支持フレーム（３２、５２、９２）が同時に内方に延びて、三つの摩擦パッド（４２、５４、９０）により球（１１６）に印加された摩擦を増加できる球摩擦調整ロッド（１０４）を包含する。同様に、ロッド（１０４）が左周りに回転されると、印加摩擦が減少させる。
2008529716.tif 000002
【特許請求の範囲】
【請求項１】
ａ）三つの等間隔に置いた球摩擦パットを支持する手段を包含するベースを有する球クレードルと、
ｂ）三つの球摩擦パットにより支持され且つ上内部棒空所を有する球と、
ｃ）三つの球摩擦パットにより前記球に等しく印加される摩擦を調整する手段と、
ｄ）入り子式棒組立体が、（１）上端と下端を有する内部棒であって、下端が前記球の内部棒内に挿入され、取付け手段によって内部棒に取付けられることと、（２）上端と下端を有する外部棒であって、下端が内部棒内に摺動自在に挿入され、高さ調整手段によって選定できる高さで内部棒内に保持されることと、（３）取付け手段によって外部棒の上端に取付けた関節のあるハンドルであって、ハンドル、入り子式棒組立体と前記球により発生された摩擦の組合せが実施される全範囲の運動を包含する幾つかの鍛練ルーチンを可能とすることとから成ることと
から成ることを特徴とする軌道抵抗調整可能な球鍛練装置。
【請求項２】
前記装置が単一装置或いは二つの装置を利用することによって鍛練を実施するように使用され得ることを特徴とする請求項１に記載の装置。
【請求項３】
前記ベースは、前記ベースが平らな表面に挿入された複数のボルトによって平らな表面に取付けできる複数のベース据付け孔を有し、平らな表面は前縁と後縁を有する固体床或いは持ち運び可能なプラットホームから成ることを特徴とする請求項１に記載の装置。
【請求項４】
前記プラットホームは更に                                                        ａ）前部分と後Ｔ字部分を有するシートレールであって、前部分が前記携帯できるプラットホームの後縁に中央に取付けられることと、
ｂ）シートレールに折畳み可能に取付けられ且つ下部分と上部分を有する縦部材であって、下部分は前記シートレールに沿って前後に移動される手段を有し、上部分は後方支持体と後方支持体下の折畳み可能シートとを取付けられ、シートが縦部材に折畳まれると、縦部材が持ち運び可能なプラットホームに沿って折畳まれ、入り子式棒組立体が平らな位置へ回転され、前記装置が積み込まれた或いは移行する位置に置かれることとから成ることを特徴とする請求項３に記載の装置。
【請求項５】
球摩擦パットが超高分子重量ポリエチレン（ＵＨＥＭＷ−ＰＥ）から形成され、前記球の曲率に追従する内部凹面を有することを特徴とする請求項１に記載の装置。
【請求項６】
前記ハンドルは、任意の方向と角度に運動の自由度を許すように二平面において回転できるＴ字スロット状の関節のあるハンドルから成り、前記ハンドルは：
ａ）外面、内面、外径と内径を有する前リングであって、内径が半分の第一ハンドル空所と第一ハンドル空所と整合して第二ハンドル空所の半分とを有し、内面が円筒状ヨーク溝の半分を有することと、
ｂ）適合する寸法にされ且つ取付け手段によって前リングに取付けられる後リングであって、前記後リングは外面と内径を有し、内径が補完的第一ハンドル空所の半分と第一ハンドル空所と整合している補完的第二ハンドル空所の半分とを有し、内面が補完的円筒状ヨーク溝の半分を有することと、
ｃ）３６０度にわたり回転するように設計されたハンドルグリップは：                  （１）第一と第二ハンドル空所の半分に回転自在に挿入される寸法にされたチューブと、
（２）チューブ上に置かれたハンドルコアと、
（３）ハンドルコア上に挿入される弾性カバーと、
ｄ）二つの半分のヨーク溝に摺動自在に取付けるＴスロットを有するヨークスライダであって、前記ヨークスライダが３６０度にわたり回転するように自由であり、低面を包含し、その面から中心ヨーク延長部が取付ける寸法にされ且つ外部極の上端に位置されたヨークスロットに取付けられることとから成ることを特徴とする請求項１に記載の装置。
【請求項７】
ａ）球クレードルは：
（１）等辺三角形状、下面、上面、複数のベース据付け孔、第一切頭頂点、第二切頭頂点と第三切頭頂点を有するベースと、
（２）ベースの下面と整合する下縁と、上縁と、上縁に隣接して配置した第一球摩擦パットとを有する第一球支持フレームであって、第一球支持フレームが取付け手段によって第一切頭頂点にしっかりと取付けられることと、
（３）挿入されるように寸法にされ且つ第一球摩擦パット開口内に摩擦的に保持される突起を有する凹内面と外面を有する第一球摩擦パットと、
（４）ベースの下面と整合する下縁と、上縁と、上縁に隣接して配置した第二球摩擦パットとを有する第二球支持フレームであって、第二球支持フレームが取付け手段によって第二切頭頂点にしっかりと取付けられることと、
（５）挿入されるように寸法にされ且つ第二球摩擦パット開口内に摩擦的に保持される突起を有する凹内面と外面を有する第二球摩擦パットと、
（６）第一球支持フレームと第二球支持フレームの間に取付け手段によってしっかりと取付けられた第一横パネルと、
（７）第一球支持フレームと第三切頭頂点の第一縁で終了する第二縁の間に取付け手段によってしっかりと取付けられた第一縁を有する第二横パネルと、
（８）第二球支持フレームと第三切頭頂点の第二縁で終了する第二縁の間に取付け手段によってしっかりと取付けられた第一縁を有する第三横パネルと、
（９）それぞれに第二と第三横パネルの第二縁の内方に横切って取付けられたクロス部材であって、クロス部材が内面と外面を有し、内面が通して延びるボルト孔と境界するボルトヘッド保持空所を有することと、
（１０）ボルト孔に挿入された圧力調整螺子切りボルトであって、ボルトヘッドがボルトヘッド保持空所内に拘束的に保持され、ボルトの螺子切り部分が第三切頭頂点の平面から外方に延びていることと、
（１１）第二と第三横パネルの第二縁の間にベースの下面と整合する下縁と、上縁と、上縁に隣接して配置した第三球摩擦パットと螺子切りボルトと整合するボルト孔とを有する第三球支持フレームと、
（１２）挿入されるように寸法にされ且つ第三球摩擦パット開口内に摩擦的に保持される突起を有する凹内面と外面を有する第三球摩擦パットと、
（１３）圧力調整螺子切りボルトの螺子切り部分に挿入された座金と、
（１４）内面と外面を有する球摩擦調整ロッドであって、内面が圧力調整螺子切りボルトの螺子切り部分にねじ込まれる螺子切り空所を有し、内面が座金と境界し、ロッドが右回りに回転するときに、第三球支持フレームが内方に移動し、それで三つの球摩擦パットを同時に内方に延びて且つ各々が等内圧を加えることができ；ロッドが左回りに回転するときに、等内圧が減少させることとから成り、
ｂ）縦方向に心合せした組合せ孔と空所を有する球がロッド孔とボルトヘッド空所により下方に追従した上内部棒空所から成り、
ｃ）入り子式棒組立体は：
（１）前記球の上内部棒空所に挿入される寸法にされた内部棒であって、前記内部棒が上端と下端を有し、下端が前記球のボルト孔を通して挿入された螺子切りボルトを受ける螺子切り孔を有することと、
（２）内部棒上に摺動自在に挿入される寸法にされた外部棒であって、前記外部棒が上端と下端を有することと、
（３）内部棒に対して選定可能な高さに外部棒を保持する手段と、
（４）ハンドル取付け手段により外部棒の上端に取付けられたハンドルであって、ハンドルが握持されると、前記入り子式棒組立体と前記球の組合せが全範囲の運動を包含する幾つかの鍛練ルーチンを実施できることから成ることを特徴とする軌道抵抗調整可能な球鍛練装置。
【請求項８】
少なくとも一つの球クレードルのベースが複数の据付け孔に挿入された複数のボルトによって平らな面に取付けられていることを特徴とする請求項７に記載の装置。
【請求項９】
前記平らな面は固体床から構成されることを特徴とする請求項８に記載の装置。
【請求項１０】
前記平らな面は前縁と後縁とから成る持ち運び可能なプラットホームから構成されることを特徴とする請求項８に記載の装置。
【請求項１１】
前記持ち運び可能なプラットホームは更に前部分と後Ｔ部分とを有するシートレールから成り、前部分が前記持ち運び可能なプラットホームの後縁に中央に取付けられることを特徴とする請求項１０に記載の装置。
【請求項１２】
更に、シートレールに折畳み可能に取付けられ且つ下部分と上部分とを有する縦部材から成り、下部分が前記シートレールに沿って前後に移動される手段を有し、上部分が後支持体とその後支持体の下に折畳み可能なシートとに取付けられ、シートが縦部材に折畳まれると、縦部材が持ち運び可能なプラットホームに沿って前方に折畳まれ、入り子式棒組立体が平らな位置に回転され、前記装置が積み込まれた或いは移行する位置に置かれることを特徴とする請求項１１に記載の装置。
【請求項１３】
第一、第二と第三摩擦パットが超高分子重量ポリエチレン（ＵＨＥＭＷ−ＰＥ）から形成されることを特徴とする請求項７に記載の装置。
【請求項１４】
球支持フレームと横パネルをしっかりと取付ける手段が溶接処理により行われることを特徴とする請求項７に記載の装置。
【請求項１５】
前記座金は鋼ニードルローラ推力軸受から構成されることを特徴とする請求項７に記載の装置。
【請求項１６】
前記球調整ロッドが更にロッドの回転を容易とする複数の外方延びるノブから成ることを特徴とする請求項７に記載の装置。
【請求項１７】
前記球は固体電解アルミニュウムから構成されることを特徴とする請求項７に記載の装置。
【請求項１８】
前記球は上中空半球と下中空半球から成り：
ａ）上中空半球が：
（１）周辺整合突起を有する下縁と、
（２）内部棒を摺動自在に受ける寸法にされた第一下方延長空所であって、前記空所が前記半球の下縁に水平部材により取付けられる上縁と心合せした上ボルト孔を有する下面とを有することとを有し、
ｂ）下中空半球が：
（１）前記上中空半球の整合突起と境界する寸法にされた周辺整合空所を有する上縁と、
（２）第一下方延長空所を摺動自在に受ける寸法にされた第二下方延長空所であって、前記空所が前記半球の上縁に水平部材により取付けられる上縁と、上ボルト孔と整合する下ボルト孔を有する下面とを有することと、
（３）下ボルト孔から下方に延びて且つボルトヘッド空所で終了するボルトチューブであって、螺子切りボルトがボルトチューブ、下ボルト孔、上ボルト孔を通して挿入されて、内部極の下端の螺子切り孔にねじ込まれ、二つの半球が結合させて球を形成することとを有することを特徴とする請求項９に記載の装置。
【請求項１９】
中空球の二つの結合させた縁が溶接され、研磨され且つ磨かれてスムーズな仕上げを有する球を形成することを特徴とする請求項１８に記載の装置。
【請求項２０】
選定可能な高さで外部棒を保持する前記手段は：
ａ）前記内部棒が少なくとも一つの水平ピン空所を有することと、
ｂ）前記外部棒が少なくとも一つの水平ピン空所と整合する少なくとも一つのピン孔を有することと、
ｃ）ピン孔を通してピン空所へ摩擦的に挿入されたピンと
から成ることを特徴とする請求項７に記載の装置。
【請求項２１】
前記ハンドルが上面と下面を有する縦弾性グリップハンドルから構成されることを特徴とする請求項７に記載の装置。
【請求項２２】
縦弾性グリップハンドルを取付ける前記手段は：
ａ）前記ハンドルの下面から下方に延びている円筒状ロッドであって、ロッドが水平ピン空所を有することと、
ｂ）前記外部棒がピン空所と整合して外部棒を通過するピン孔を有することと、
ｃ）ピン孔を通してピン空所へ摩擦的に挿入されたピンと
から成ることを特徴とする請求項２１に記載の装置。
【請求項２３】
前記ハンドルは任意の方向と角度において運動の自由度を許容するよう二つの平面において回転できるＴ字スロット状の関節のあるハンドルから成り、前記ハンドルは：
ａ）外面、内面、外径と内径を有する第一リングであって、内径が第一ハンドル空所の半分と第一ハンドル空所と整合した第二ハンドル空所の半分とを有し、内面が円筒状ヨーク溝の半分を有することと、
ｂ）取付ける寸法にされ且つ取付け手段によって第一リングに取付けられる第二リングであって、前記第二リングが外面と内径を有し、内径が第一ハンドル空所の第二半分と第一ハンドル空所と整合している第二ハンドル空所の第二半分とを有し、内面が補完的円筒状ヨーク溝の第二半分を有することと、
ｃ）３６０度にわたり回転するように設計されたハンドルグリップは：
（１）第一と第二ハンドル空所の二つの半分に回転自在に挿入される寸法にされたロッドと、
（２）ロッド上に置かれたハンドルコアと、
（３）ハンドルコアに挿入された弾性カバーとから成ることと、
ｄ）ヨーク溝の二つの半分に摺動自在に取付けるＴタブを有するヨークスライダであって、前記ヨークスライダが３６０度にわたり回転するように自由であり、外部棒の上端に配置されたヨークスロットに取付ける寸法にされる心合せしたヨーク延長部が延びている下面を包含することと、
ｅ）ヨーク延長部をヨークスロットに取付ける手段とから成ることを特徴とする請求項７に記載の装置。
【発明の詳細な説明】
【技術分野】
【０００１】
この発明は、鍛練装置の一般分野に関し、更に特に入り子式極に取付けられる抵抗調整可能な球を使用する鍛練装置に関する。棒の上端が握持されると、全範囲の運動を包含する鍛練ルーチンが実施され得る。
【背景技術】
【０００２】
人類の発祥以来、物理的鍛練の必要性と要望があった。二人の個人の一方が鍛練し、他方が物理的に厳しい活動しないことが容易に明らかである。鍛練して良い物理的状態に維持する人は通常にはより良く実施できるばかりではなく、僅かなストレスで長い期間に実施できる。
【０００３】
医学界は鍛練を採用していた、多くの医師と他の健康管理専門家は薬剤に加えて「処方する」一貫したルーチンの鍛練を開始した。鍛練のこの増加した意識と必要性は急速に成長する数のクラブ、ジムと個人健康機械と装置をもたらした。幾つかの健康クラブと健康機械とは非常に流行になって幅広く使用されるけれども、多くの健康クラブと機械はその複雑性、大きさと価格のためにかなりの人気を失った。
【０００４】
鍛練の減少した影響の結果として、新しいタイプの鍛練機械を開発する際に大量の時間とお金を以前に投資した多くの会社はもはやそのように投資をしていない。これは、医学界において多くの個人が人間の身体へのその検査を継続し且つ如何にストレス、鍛練などに反応するかの検査を継続するためには、非適切であり、これらの新たな発見によると、如何に最善に鍛練するかというより良い理解が大切になった。
【０００５】
新たで改良された鍛練機械を設計する現行知識と技術を使用する能力は、将来的身体調整と維持を保証する最も有効な方法の一つである。進歩した技術を利用することによって即席鍛練装置は以前に有効な鍛練装置において固有の多くの問題を解決する。
【０００６】
先行技術の調査は即席発明の請求項に直接に読み取る任意の文献或いは特許を開示しなかった。しかしながら、次の米国特許が関連して考慮されている：
特許番号              発明者                  発行                              ５６９２９９７        Stearns                 １９９７年１２月２日
５６６５０４１        Hsieh                   １９９７年  ９月９日
５２７３５０９        Vittone                 １９９３年１２月２８日
５０６９４４７        Snyderman,et al         １９９１年１２月３日
２５４３７２９        Magida                  １９５１年  ２月２７日
【０００７】
米国特許第５６９２９９７号明細書（特許文献１）は、使用者が抵抗として利用される使用者の体重をもつ傾斜位置に支持されるプラットホームを有する鍛練機械を開示する。抵抗は種々の鍛練に選択的に変更され得て、この種々の鍛練が鍛練装置で実施され得る。レバーはプラットホームに旋回自在に連結され、レバーが旋回点に関してプラットホームの一端を上昇するために使用者により作動される。プラットホームにおけるレバーの旋回据付けがそのような上昇に対する抵抗を変える。
【０００８】
米国特許第５６６５０４１号明細書（特許文献２）は、上下身体支持体が設けられて上下腹部練習を調整するように相互連結されている腹部鍛練装置を開示する。装置は腹部鍛練のための抵抗を提供する。更に、上下身体支持体間の相互連結が選択的に離脱されるので、個々の上下腹部鍛練が実施され得る。
【０００９】
米国特許第５２７３５０９号明細書（特許文献３）は、ケーブルシステムのような力抵抗を有する鍛練機械のハンドルを開示し、重量堆積が相互連結するケーブルシステムを通る通路に沿ってハンドルの運動に抵抗を与える。ハンドルは細長いアームに支持されたグリップを包含し、ベースはハンドルを力抵抗体に連結する構造を包含する。
【００１０】
米国特許第５０６９４４７号明細書（特許文献４）は、平らな位置から静止直立バーベル支持体に関して使用者の頭と肩の僅かな変位或いは変位のない着座位置へ変換されるのに適した調整可能な重量持上げベンチを開示する。ベンチ座席フレームは後フレームに旋回自在に連結され、座席フレームの第二端が支持アームの一端に旋回自在に連結され、支持アームの第二端がベースフレームに旋回自在に連結されている。
【００１１】
米国特許第２５４３７２９号明細書（特許文献５）は、体育館、或いは家庭で使用する鍛練装置を開示する。この装置は摩擦円板によって一端に一体に旋回された一対のアームから成る構造を包含する。円板は抵抗摩擦を変えるように調整され得て、装置が所望により旋回されるのに自由である。
【００１２】
軌道抵抗調整可能な球鍛練装置は、幾つかの平面と範囲運動によって誘導され得る鍛練ルーチンを実施することによって鍛練者に多機能抵抗訓練を提供する。これら鍛練ルーチンは選択的に調整され得て且つ３６０度範囲運動にわたり一定である等摩擦を誘導される。鍛練ルーチンは同時に安定性と運動を強制し、この運動は身体が自然に移動するときに身体自体のパターンをまねる。
【００１３】
その基本形状では、装置は四つの基本要素から成り：
１．三つの等間隔に置いた球摩擦パットを支持する手段を包含するベースを有する球クレードルと、
２．三つの球摩擦パットにより支持され且つ上内部棒空所を包含する球と、
３．三つの球摩擦パットにより球の表面に等しく印加される摩擦を調整する手段と、
４．上内部棒空所に挿入される下端と関節のあるハンドルに取付けられた上端を有する入れ子式棒組立体とから成る。
【００１４】
好ましい設計の球クレードルは等辺三角形状を有する。三角形の各側面が球の円形面と接触させる凹面を有する球摩擦パッドを取付けられた上方延長球支持フレームを有する。球クレードルはまた、摩擦パッドが球の表面に印加する摩擦量を選択的に調整する手段を包含する。
【００１５】
球は電解されるアルミニュウムから構成される固体球或いは中空球から成り得る。各場合に球は入れ子式棒組立体の内部棒を球に固定され得る一組の空所を包含する。
【００１６】
入れ子式棒組立体は外部棒に挿入される内部棒を包含する。組立体は内部棒に対して設定可能な高さに外部棒を固定する手段を包含する。外部棒の上端に取付けられる関節のあるハンドルは、任意の方向と角度に運動の自由度を許容するよう二つの平面において回転できるＴ字スロット状の関節のあるハンドルから成る。
【００１７】
関節のあるハンドル、入れ子式棒組立体と球により発生した摩擦の組合せは全範囲運動鍛練ルーチンを実施できる。装置は単一装置を利用することによって使用され得る、或いは二つの装置が横に並んで置かれて得る。更に、装置は球クレードルを介して、床のような実質的に平らな面に取付けられるか、或いは装置は持ち運び可能なプラットホームに取付けられ得る。持ち運び可能なプラットホームは、調整可能な座席と積み込みのために或いは移行するときに折畳まれ得る背もたれとを取付けられたように設計され得る。
【特許文献１】米国特許第５６９２９９７号明細書
【特許文献２】米国特許第５６６５０４１号明細書
【特許文献３】米国特許第５２７３５０９号明細書
【特許文献４】米国特許第５０６９４４７号明細書
【特許文献５】米国特許第２５４３７２９号明細書
【発明の開示】
【発明が解決しようとする課題】
【００１８】
前記開示を参照して、この発明の主な目的は、人が選定可能な抵抗レベルで実施できる連続的全範囲運動鍛練ルーチンを実施できる軌道抵抗調整可能な球鍛練装置を創作することである。
【００１９】
この発明の主な目的に加えて、更に、
・種々の多平面鍛練運動において等張抵抗を備えることにより心拍数（heart rate) の迅速だが制御された増加ができ、
・単一棒或いは二つの棒を使用でき、
・鍛練者がハンドルを開放するならば、棒がその最終使用位置に残る。言い換えると、装置から成る要素のどれもが落下、飛び或いは切れることはなく、
・縦面及び水平面に挿入され得て、
・外部空間に使用され得て、
・立ち、座りながら或いは平たくなった位置に使用され得て、
・製造業者と顧客の両方の観点から有効な価格である
鍛練装置を創作することである。
【００２０】
この発明のこれらと他の目的と利益は、添付図面と関連して採用された好ましい実施例の詳細の記載と添付された請求項とから明らかになる。
【発明を実施するための最良の形態】
【００２１】
軌道抵抗調整可能な球鍛練装置１０を実施するための最善の様式は、複数平面鍛練ルーチンにおいて等張抵抗を備えることにより心拍数の迅速且つ制御された増加を可能とする好ましい実施例によって表現されている。好ましい実施例は、図１−８に示されるように、三つの基礎要素、球クレードル１２、球１１６と入れ子式棒組立体１２６から構成される。この三つの基礎要素は更に折畳み可能な背支持体２８８と座席２９０を取付けた座席レール２７２を取付けた持ち運び可能なプラットホーム２６６と組合せて使用されるのに適している。
【００２２】
球クレードル１２は、図１、２と３に示されるように、等辺三角形状を有するベース１４から構成される。図２と３に最も良く示されるように、ベース１４は下面１６、上面１８、複数の据付け孔２０、前切頭頂点２２、第二切頭頂点２４と第三切頭頂点２６を包含する。また、球クレードル１２は、更に図２と３に示されるように、第一球支持フレーム３２、第一球摩擦パッド４２、第二球支持フレーム５２、第二球摩擦パッド５４、第三球支持フレーム９２、第一横パネル５８、第二横パネル６２と第三横パネル７０から構成される。
【００２３】
第一球支持フレーム３２は下縁３４、上縁３６と上縁３６に隣接して配置された第一球摩擦パッド開口３８を有する。下縁３４はベース１４の下面１６と整合していて、前切頭頂点２２に配置されている。第一球摩擦パッド４２は、図２と３に示されるように、球１１６の曲率に追従する凹内面と、挿入される寸法にされ且つ第一球摩擦パッド開口３８内に摩擦的に保持される突起４８を有する外面４６とを有する。
【００２４】
第二球支持フレーム５２は下縁３４、上縁３６と上縁３６に隣接して配置された第二球摩擦パッド開口３８を有する。下縁３４はベース１４の下面１６と整合していて、第二切頭頂点２４に配置されている。第二球摩擦パッド５４は更に図２と３に示されるように、凹面４４と挿入される寸法にされ且つ第二球摩擦パッド開口３８内に摩擦的に保持される突起４８を有する外面４６とを有する。
【００２５】
第一横パネル５８は第一球支持フレーム３２と第二球支持フレームの間の取付け手段によってしっかりと取付けられる。第二横パネル６２は第一球支持フレーム３２に取付け手段によってしっかりと取付けられる第一縁６４と、第三切頭頂点２６の第一縁６８で終了する第二縁６６とを有する。同様に、第三横パネルは取付け手段によって第二球支持フレーム５２にしっかりと取付けられる第一縁７２と第三切頭頂点２６の第二縁で終了する第二縁７４とを有する。
【００２６】
図２に示されるように、クロス部材８０はそれぞれに第二横パネル６２と第三横パネル７０の第二縁６６と７４とを内方に横切って取付けられる。クロス部材８０は内面８２と外面８４を有し、内面８２は通って延びるボルト孔８８と境界するボルトヘッド保持空所８６を有する。ボルト孔８８には圧力調整螺子切りボルト９０が挿入され、このボルトはボルトヘッド保持空所８６内に拘束的に保持されるボルトヘッドと、図２に示されるように、第三切頭頂点２６の平面から外方に延びている螺子切り部分とを有する。
【００２７】
第三球支持フレーム９２はベース１４の下面１６と整合していて且つ第二横パネル６２の第二縁６６と第三横パネル７０の第二縁７４との間に配置されている下縁３４を有する。第三球摩擦パッド９４は、凹内面４４と挿入される寸法にされ且つ第三球摩擦パッド開口３８内に摩擦的に保持される突起４８を有する外面４６とを有する。
【００２８】
ベース１４、支持フレーム３２、５２、９２、第一、第二と第三横パネル５８、６２、７０は好ましくは溶接処理により取付けられる。次に、全球クレードル１２は好ましくはクロムメッキされている。更に、球摩擦パッドは好ましくは極超高分子重量ポリエチレン（ＵＨＥＭＷ−ＰＥ）から形成されている。
【００２９】
球摩擦パッドにより印加された摩擦量がクロス部材８０、鋼ニードルローラ推力軸受から成る座金１００、圧力調整螺子切りボルト９０と球圧力調整ロッド１０４から成る組合せによって制御される。
【００３０】
球圧力調整ロッド１０４は内面１０８と外面１１０を有する。内面１０８は圧力調整螺子切りボルト９０の螺子切り部分にねじ込まれる螺子切り空所１１２を有し、内面１０８が座金１００と境界する。球圧力調整ロッド１０４が右回りに回転されると、第三球支持フレーム９２は内方に移動し、それで三つの球摩擦パッド４２、５４、９４が同時に内方に延びていて、各々が等内方摩擦を印加する。同様に、ロッド１０４が左回りに回転されると、等内方摩擦が減少される。ロッド９０の回転を容易とするために、複数の外方延長ノブ１０６は、図１と２に図示されるように、ロッド１０４に取付けられる。装置１０の第二主要素は、好ましくは透明に電解されるか、或いは種々の色に電解されるアルミニュウムから構成される球１１６である。球１１６は二つの設計に製造され得て：固体設計或いは中空設計。
【００３１】
固体球１１６は、図４に示されるように、ボルト孔１２０とボルトヘッド空所１１２とによって下方に追従される上内部棒空所１１８から構成される縦方向に心合せした組合せ孔と空所を有する。
【００３２】
球の第２設計は、球１１６を一緒に形成する上中空半球２２４と下中空半球２４２とから構成される。上中空半球２２４は、図４に示されるように、周辺整合突起２２８と内部極１２８を摺動自在に受ける寸法にされる第一下方延長空所２３０とを有する下縁２２６を有する。空所２３０は半球２２４の下縁２２６に水平部材２３４により取付けられる上縁２３２と心合せした上ボルト孔２３８を有する下面２３６とを有する。
【００３３】
下中空半球２４２は、図５に示されるように、上縁２４４、第二下方延長空所２４８とボルトチューブ２５８とを有する。上縁２４４は上中空半球２２４の整合突起２２８と境界する寸法にされる周辺整合空所２４６を有する。
【００３４】
第二下方延長空所２４８は、第一下方延長空所２３０を摺動自在に受ける寸法にされる。空所２４８は下中空半球２４２の上縁２４４に水平部材２５２により取付けられる上縁２５０と、上ボルト孔２３８と整合している下ボルト孔２５６を有する下面２５４とを有する。
【００３５】
ボルトチューブ２５８は下ボルト孔２５６から下方に延びていて、ボルトヘッド空所２６０で終了する。螺子切りボルト２６２がボルトチューブ２５８、下ボルト孔２５６、上ボルト孔２３８を通して挿入されて、内部棒１２８の下縁１３２の螺子切り孔１３４にねじ込まれると、二つの半球は球１１６を形成するように結合される。中空球の二つの結合縁が溶接され、研磨され、磨かれてスムーズな仕上げを有する球を形成する。
【００３６】
軌道抵抗調整可能な球鍛練装置１０のために開示された最終基礎要素は、図１、４、６と７に示されるように、入れ子式棒組立体１２６である。組立体１２６は三つの主要素：上内部棒１２８、外部棒１４０、ハンドル２５６と上内部棒１２８に対して選定可能な高さに外部棒１４０を保持する手段とから構成される。
【００３７】
内部棒１２８は球１１６の上内部棒空所１１８に挿入される寸法にされる。内部棒１２８は上端１３０と下端１３２を有し、下端１３２は、内部棒１２８を保持する球１１６のボルト孔１２０を通して挿入された螺子切りボルト１３６を受ける螺子切り孔１３４を有する。外部棒１４０は内部棒１２８上に摺動自在に挿入される寸法にされて、上端１４２と下端１４４を包含する。外部棒１４０は少なくとも一つの水平ピン空所１４８を包含する内部棒１２８とピン孔１５０を包含する外部棒１４０とを有することにより選定的に高さを調整される。ピン１５２がピン孔１５０を通してピン空所１４８へ挿入されると、外部棒１４０は内部棒１２８に挿入される。
【００３８】
ハンドル１５６はハンドル取付け手段によって外部棒１４０の上端１４２に取付けられる。ハンドルが握持されると、入れ子式棒組立体１２６と球１１６の組合せは全範囲運動を包含する幾つかの鍛練ルーチンが実施され得る。
【００３９】
ハンドル１５６は、図４に示されるように、縦弾性グリップハンドル１５８から成り、或いは図１、６と７に示されるように、Ｔ字スロット状の関節のあるハンドル１７２から成る。縦弾性グリップハンドル１５８は、図４に示されるように、上面１６１と下面１６２を包含する。ハンドル取付け手段はハンドル１５８の下面１６２から下方に延びている円筒状ロッド１６０を有することにより完成される。この設計では、ロッド１６０は水平ピン空所１６４を有し、外部棒１４０はピン空所１６４と整合しているピン孔１６６を有する。ハンドル保持ピン１６８はピン孔１６６を通してピン空所１６４に摩擦的に挿入されると、ハンドル１５８が取付けられる。
【００４０】
Ｔ字スロット状の関節のあるハンドル１７２は、任意の方向と角度において運動の自由度を許容するように二つの平面において回転できる。ハンドル１７２は、図１、６と７にに示されるように、五つの主要素：第一リング１７４、第二リング１９０、手グリップ２０４、ヨークスライダ２１２と、ヨークを取付ける手段２２２から構成される。
【００４１】
第一リング１７４は外面１７６、内面１７８、外径１８０と内径１８２を有する。内径１８２は第一ハンドル空所１８４の半分と、第一ハンドル空所１８４と整合している第二ハンドル空所１８６の半分とを有する。内面１７８は、また円筒状ヨーク溝１８８の半分を有する。
【００４２】
第二リング１９０は取付ける寸法にされ且つ第一リング１７４に取付け手段１９１によって取付けられる。第二リング１９０は、また、外面１９２と、第一ハンドル空所１９６の第二半分と第一ハンドル空所１９６と整合している第二ハンドル空所１９８の第二半分とを包含する内面１９４とを有する。内面は、また、円筒状ヨーク溝２００の第二半分を包含する。
【００４３】
手グリップ２０４は３６０度にわたり回転するように設計され、二つの半分へ回転可能に挿入される寸法にされるロッドと第一と第二ハンドル空所１８４、１８６から構成される。最も良く図６に示されるように、ロッド２０６上にはハンドルコア２０８が置かれ、ハンドルコア２０８上には弾性カバー２１０が挿入される。
【００４４】
ヨークスライダ２１２はヨーク溝１８８、２００の二つの半分に摺動自在に取付けるＴ字タブ２１４を有する。ヨークスライダ２１２は３６０度にわたり回転するように自由であり、外部極１４０の上端１４２に配置されたヨークスロット２２０に取付ける寸法にされる心合せヨーク延長部２１８が延びている下面２１６を包含する。ヨーク延長部２１８は上記の如くピンのような取付け手段２２２によってヨークスロット２２０に取付けられる。
【００４５】
この発明は、完全に詳細に記載され且つ添付図面に絵のように示されるけれども、多くの変更と修正が発明の精神と発明の範囲から逸脱することなしに形成されるから、そのような細部に限定されていない。例えば、球クレードル１２の好ましい設計は図２と３に示される。しかしながら、球クレードル１２は、また、三つの一様に間隔を置いて且つ調整可能な摩擦パッドを囲む、図１に示される如く、円形構造と一緒に設計され得る。更に、種々の材料は組立体１０の要素を構成するように利用され得て、色が組立体の構造を高めるように包含され得る。それ故に、請求項の言葉と範囲内にある任意のすべての修正例と態様をカバーすることが記載されている。
【図面の簡単な説明】
【００４６】
【図１】取付けられた折畳み可能な座席を有する座席レールを包含する持ち運び可能なプラットホームに取付けられた一対の入れ子式棒組立体を有する軌道抵抗調整可能な球鍛練装置の斜視図である。
【図２】三つの等間隔に置いた摩擦パッドと球圧力調整ロッドとの相対位置を示す球クレードルの平面図である。
【図３】図２の示されるように球クレードル組立体の側面図である。
【図４】入れ子式棒組立体を取付けた固体球の正面図である。
【図５】入れ子式棒組立体の一部を取付けた分離した中空球の正面図である。
【図６】Ｔ字スロット状の関節のあるハンドルの分解斜視図である。
【図７】組立てられたＴ字スロット状の関節のあるハンドルの斜視図である。
【図８】積み込まれた或いは移行するのに適する折畳み構成に示す軌道抵抗調整可能な球鍛練装置の斜視図である。
【符号の説明】
【００４７】
１０．．．．．軌道抵抗調整可能な球鍛練装置
１２．．．．．球クレードル
１４．．．．．ベース
２０．．．．．据付け孔
２２、２４、２６．．．．切頭頂点
３４、５２、９２．．．．球支持フレーム
３８．．．．．球摩擦パッド開口
４２、５４、９４．．．．球摩擦パッド
４８．．．．．突起
５８、６２、７０．．．．横パネル
８０．．．．．クロス部材
９０．．．．．圧力調整螺子切りボルト
１００．．．．座金
１０４．．．．球圧力調整ロッド
１１６．．．．球
１２６．．．．入れ子式棒組立体
１２８．．．．内部棒
１４０．．．．外部棒
１４８．．．．ピン空所
１５０．．．．ピン孔
１５２．．．．ピン
１５６．．．．ハンドル
１５８．．．．グリップハンドル
１６０．．．．円筒状ロッド
１６８．．．．保持ピン
１７２．．．．Ｔ字スロット状関節のあるハンドル
１７４．．．．第一リング
１９０．．．．第二リング
１９１．．．．取付け手段
１８８、２００．．．．円筒状ヨーク溝
２１０．．．．弾性カバー
２１２．．．．ヨークスライダ
２２０．．．．ヨークスロット
２６０．．．．ボルトヘッド空所
２６２．．．．螺子切りボルト
２６６．．．．プラットホーム
２７２．．．．座席レール
２８８．．．．背支持体
２９０．．．．座席
【図１】
2008529716.tif 000003
【図２】
2008529716.tif 000004
【図３】
2008529716.tif 000005
【図４】
2008529716.tif 000006
【図５】
2008529716.tif 000007
【図６】
2008529716.tif 000008
【図７】
2008529716.tif 000009
【図８】
2008529716.tif 000010
【国際調査報告】
2008529716.tif 000011